(57)【要約】【課題】ＬＥＤ等の遮光板や、二枚の回路基板間に介装するスペーサなどの部品点数を削減する。【解決手段】遮光板兼基板スペーサ１５は、背面板の前面に隔壁が横並びに並設されていて、上下両側の基板取付け面にスナップロック爪１８，　１９を設けてある。ＬＥＤを搭載した一方の回路基板１１の穴にスナップロック爪１８を係合させて遮光板兼基板スペーサ１５を装着し、他方の回路基板１２を反対側のスナップロック爪１９へ係合させれば、二枚の回路基板１１，　１２は所定の間隔で保持され、回路基板上の複数のＬＥＤは遮光板兼基板スペーサと上下二枚の回路基板とによって隔離される。遮光板とスペーサとを兼用することにより部品点数が削減される。【選択図】　図４
2004133066.tif 000002
【特許請求の範囲】
【請求項１】
回路基板上に搭載した発光体の左右側面と上面及び背面を覆って光漏れを防ぐ遮光板であって、上下両側に係合爪を設け、係合爪へ係合する穴を形成した二枚の回路基板をそれぞれ上下両側の係合爪へ係合させることにより、二枚の回路基板のスペーサと遮光板として機能するように形成した遮光板兼基板スペーサ。
【請求項２】
上記遮光板兼基板スペーサは、前面ならびに上下両面が開放されており、上下両面をそれぞれ回路基板にて遮蔽するようにした請求項１記載の遮光板兼基板スペーサ。
【発明の詳細な説明】
【０００１】
【発明の属する技術分野】
この発明は、光表示用発光体の遮光板としての機能と回路基板間のスペーサの機能とを兼備した遮光板兼基板スペーサに関するものである。
【０００２】
【従来の技術および発明が解決しようとする課題】
電子機器には、回路基板に搭載したＬＥＤ等の発光体の光を前面パネルの光表示窓へ導いて電源のオンオフや作動状況などを光表示するようにしたものがあり、複数の光表示窓を近接配置したものにおいては、遮光板にて各発光体及び光表示窓を隔離し、隣接する光表示窓へ光が漏れないようにしている。
【０００３】
図６は従来の遮光板１を示し、前面と基板取付け面が開放された箱型の樹脂成形品であって、内部は隔壁２によって数室に区切られており、回路基板３上の複数のチップＬＥＤ及び光導管（図示せず）を個別に遮蔽する構造となっている。また、図７に示すように、二枚の回路基板３を平行に配置する場合は、回路基板間にスペーサ４を介装して回路基板間に間隔を設けている。したがって、二枚の回路基板を平行に配置し、一方或いは両方の回路基板に光表示用の複数の発光体を搭載している場合は、遮光板１とスペーサ４の両方を必要とし、部品点数が増加するとともにスペースをとるという問題がある。
【０００４】
そこで、部品点数並びに占有スペースを削減するために解決すべき技術的課題が生じてくるのであり、本発明は上記課題を解決することを目的とする。
【０００５】
【課題を解決するための手段】
この発明は、上記目的を達成するために提案するものであり、回路基板上に搭載した発光体の左右側面と上面及び背面を覆って光漏れを防ぐ遮光板であって、上下両側に係合爪を設け、係合爪へ係合する穴を形成した二枚の回路基板をそれぞれ上下両側の係合爪へ係合させることにより、二枚の回路基板のスペーサと遮光板として機能するように形成した遮光板兼基板スペーサを提供するものである。
【０００６】
また、上記遮光板兼基板スペーサは、前面ならびに上下両面が開放されており、上下両面をそれぞれ回路基板にて遮蔽するようにした遮光板兼基板スペーサを提供するものである。
【０００７】
【発明の実施の形態】
以下、この発明の実施の一形態を図に従って詳述する。図１は、パーソナルネットワークカメラの第一回路基板１１と第二回路基板１２を示し、それぞれ相手側に対向する面を示している。二枚の回路基板１１，　１２は両面銅張印刷配線板であって、図示は省略するが両面にＬＳＩやトランジスタ、コンデンサや抵抗などのチップ部品が搭載され、基板のエッジにはメモリーカードコネクタや電源コネクタや各種の入出力コネクタが配置される。
【０００８】
第一回路基板１１には基板対基板接続コネクタのソケット１３ａ，　１４ａが取付けられており、第二回路基板１２には基板対基板接続コネクタのプラグ１３ｂ，　１４ｂが取付けられている。ソケット１３ａとプラグ１３ｂとからなる基板対基板接続コネクタ１３は、例えば５０ピンの平行接続型コネクタである。ソケット１４ａとプラグ１４ｂとからなる基板対基板接続コネクタ１４は、例えば８ピンのずれ吸収型コネクタであって、回路基板へ半田付けされる端子部に対して嵌合部が変位できる公知のずれ吸収構造となっている。したがって、基板対基板接続コネクタ１３のソケット１３ａとプラグ１３ｂを嵌合させたときに、基板対基板接続コネクタ１４のソケット１４ａとプラグ１４ｂの相互の位置関係にずれが生じている場合であっても位置ずれが吸収されてソケット１４ａとプラグ１４ｂが正常に嵌合する。
【０００９】
第一回路基板１１の前縁部（図１（ａ）において左）に装着されている１５は遮光板兼基板スペーサであり、２１は透明アクリル樹脂製の光導管ユニットであって、第一回路基板１１上の三個のＬＥＤ（図示せず）の上に光導管ユニット２１が搭載され、光導管ユニット２１を覆うように遮光板兼基板スペーサ１５が装着されている。
【００１０】
図２は遮光板兼基板スペーサ１５を示し、背面板１６の前面に複数の縦型隔壁１７を平行に並設したプラスティック射出成形品であり、上下両面及び前面は開放されている。図において左右両端の隔壁１７から下へ延びるくさび形のスナップロック爪１８と、その隣の隔壁１７から上へ延びるスナップロック爪１９が設けられていて、二枚の回路基板１１，　１２に形成した穴２０にスナップロック爪１８，　１９を夫々押し込めば、穴２０にスナップロック爪１８，　１９が係合し、遮光板兼基板スペーサ１５を介して二枚の回路基板１１，　１２が結合される。
【００１１】
図３は光導管ユニット２１を示し、側面クランク型の三個の光導管２２がランナー部２３で接続されている三連型光導管である。光導管ユニット２１を第一回路基板１１に搭載すると、光導管２２の下端面が回路基板上のチップＬＥＤ（図示せず）に対向し、チップＬＥＤからでる光は光導管２２内を通って上部前端面から投射される。図２に示すように、遮光板兼基板スペーサ１５の両端隔壁を除く隔壁１７には光導管ユニット２１のランナー部２３を避けるための溝１７ａが形成されており、図１（ａ）のように第一回路基板１１上に光導管ユニット２１と遮光板兼基板スペーサ１５とが重ねて搭載される。
【００１２】
尚、図１（ａ）において遮光板兼基板スペーサ１５の上方には垂直接続型の基板対基板接続コネクタ２４のソケット２４ａが取付けられていて、図４に示すように基板対基板接続コネクタ２４のプラグ２４ｂ　を取付けたＣＭＯＳカメラモジュール２５がソケット２４ａに接続される。図４は、第一回路基板１１と第二回路基板１２を接続した状態を示し、予め第一回路基板１１に光導管ユニット２１と遮光板兼基板スペーサ１５とＣＭＯＳカメラモジュール２５を取付け、図１に示した面を対向させて基板対基板接続コネクタ１３，　１４のソケット１３ａ，　１４ａとプラグ１３ｂ，　１４ｂを位置合わせし、遮光板兼基板スペーサ１５のスナップロック爪１９を第二回路基板１２の穴２０に合わせて第一回路基板１１と第二回路基板１２を挟圧すれば、ソケット１３ａ，　１４ａとプラグ１３ｂ，　１４ｂとが嵌合するとともに遮光板兼基板スペーサ１５のスナップロック爪１９が第二回路基板１２の穴２０に係合して二枚の回路基板１１，　１２が接続される。
【００１３】
図５は、二枚の回路基板１１，　１２を収容したパーソナルネットワークカメラ３１の前面を示し、二枚の回路基板１１，　１２はシールドケース（図示せず）に収容されて、カメラ筐体３２に内蔵される。カメラ筐体３２の前面パネル３３にはＰＯＷＥＲ，　ＲＵＮ，　メモリーカードへのｒｅａｄ／ｗｒｉｔｅを表示する三個の光表示窓３４が形成されていて、各光導管２２の先端部がそれぞれ光表示窓３４に嵌合して前面パネル３３と一体化し、電源投入時及び動作時にＬＥＤの光による状態表示を行う。
【００１４】
尚、この発明は上記の実施形態に限定するものではなく、この発明の技術的範囲内において種々の改変が可能であり、この発明がそれらの改変されたものに及ぶことは当然である。
【００１５】
【発明の効果】
以上説明したように、本発明の遮光板兼基板スペーサは、遮光板と基板スペーサの機能を兼備しているので、二枚の回路基板を平行に配置する場合における部品点数を削減でき、基板上の占有スペースも減少して小型化することができる。また、二枚の回路基板にて遮光板兼基板スペーサを挟むので、遮光板兼基板スペーサの回路基板に接触する両面を開放した形状とすることができ、部品形状が単純化して成形金型や材料のコストも削減できる。
【図面の簡単な説明】
【図１】本発明の実施の一形態を示し、（ａ）はパーソナルネットワークカメラの第一回路基板の平面図、（ｂ）は第二回路基板の平面図である。
【図２】遮光板兼基板スペーサを示し、（ａ）は平面図、（ｂ）は正面図、（ｃ）は側面図である。
【図３】光導管を示し、（ａ）は平面図、（ｂ）は正面図、（ｃ）は側面図である。
【図４】第一回路基板と第二回路基板を接続した状態の正面図。
【図５】パーソナルネットワークカメラの正面図。
【図６】従来の遮光板を示し、（ａ）は平面図、（ｂ）は正面図、（ｃ）は側面図である。
【図７】従来例を示し、スペーサと遮光板とを用いた二枚の回路基板の配置構成図。
【符号の説明】
１１　　　　　第一回路基板
１２　　　　　第二回路基板
１３　　　　　基板対基板接続コネクタ
１３ａ　　　　ソケット
１３ｂ　　　　プラグ
１４　　　　　基板対基板接続コネクタ
１４ａ　　　　ソケット
１４ｂ　　　　プラグ
１５　　　　　遮光板兼基板スペーサ
１６　　　　　背面板
１７　　　　　隔壁
１８．　１９　スナップロック爪
２０　　　　　穴
２１　　　　　光導管ユニット
２２　　　　　光導管
２３　　　　　ランナー部
２４　　　　　基板対基板接続コネクタ
２４ａ　　　　ソケット
２４ｂ　　　　プラグ
２５　　　　　ＣＭＯＳカメラモジュール
【図１】
2004133066.tif 000003
【図２】
2004133066.tif 000004
【図３】
2004133066.tif 000005
【図４】
2004133066.tif 000006
【図５】
2004133066.tif 000007
【図６】
2004133066.tif 000008
【図７】
2004133066.tif 000009